(57)【要約】【課題】  複数のサンプルの分析を連続して行う場合に、サンプルループへのサンプルの供給を効率よく短時間で行うことができ、かつ、自動化も可能なゲルパーミエーションクロマトグラフ（ＧＰＣ）装置を得る。【解決手段】  サンプルループ１６と、複数のサンプル容器１２ａの中から所定のサンプル容器１２ａを選択して所定量のサンプルの採取を可能にするサンプル選択部１１ｂと、このサンプル選択部１１ｂによって選択されたサンプル容器１２ａから所定量のサンプルを計量して採取する計量部１４と、この計量部１４によって採取された前記サンプルをサンプルループ１６に供給する管路、前記サンプルループからＧＰＣカラム１５に前記サンプルを供給する管路及びサンプルが流通した管路やＧＰＣカラム１５に洗浄溶媒を流通させる管路のいずれかに管路の切り換えを行う切換弁１１ａとを備えるオートサンプラー１１を設けた。【選択図】  図２
0003109378.tif 000002
【実用新案登録請求の範囲】
【請求項１】
サンプル容器から所定量のサンプルをインジェクターに採取し、このインジェクターからカラムオーブン内のＧＰＣカラムにサンプルを供給する高分子物質の分析装置において、
同種又は異種のサンプルを収容したサンプル容器を複数セットできるサンプル容器セット部と、
少なくとも一つの前記インジェクターと、前記複数のサンプル容器の中から、所定のサンプル容器を選択して所定量のサンプルの採取を可能にするサンプル選択部と、このサンプル選択部によって選択された前記サンプル容器から所定量のサンプルを計量して採取する計量部と、この計量部によって採取された前記サンプルを前記インジェクターに供給する管路、前記インジェクターから前記ＧＰＣカラムに前記サンプルを供給する管路及び洗浄を行う管路のいずれかに切り換える切換弁とを備えるオートサンプラーと、
前記サンプル選択部、前記計量部及び前記切換弁を含む前記オートサンプラーの動作部の動作の制御を行う制御部と、
を有することを特徴とする高分子物質の分析装置。
【請求項２】
前記制御部がシーケンス制御によって前記オートサンプラーの各動作部の動作制御を行うことを特徴とする請求項１に記載の高分子物質の分析装置。
【請求項３】
前記サンプル容器の各々に対応させて前記インジェクターを複数設けたことを特徴とする請求項１又は２に記載の高分子物質の分析装置。
【請求項４】
前記ＧＰＣカラムによって分離された成分を、フーリェ変換赤外分光計、液体クロマトグラフィー検査器、赤外分析器、示差屈折計又は質量分析器等の他の分析装置に送って分析を行うことを特徴とする請求項１〜３のいずれかに記載の高分子物質の分析装置。
【請求項５】
前記インジェクターがループ形のものであることを特徴とする請求項１〜４のいずれかに記載の高分子物質の分析装置。
【考案の詳細な説明】
【技術分野】
【０００１】
本考案は、高分子材料自体、もしくは高分子材料を用いて製造された製品の分子量分布を分析する高分子物質の分析装置に関し、特に、ゲルパーミエーションクロマトグラフ（ＧＰＣ）装置に関する。
【背景技術】
【０００２】
高分子材料自体や高分子材料を用いて製造された製品（以下、これらを総称して「高分子物質」と記載する）の品質を管理する上で、これらを構成している分子の分子量分布を知ることはきわめて重要である。
ここで、分子量分布は、ゲルパーミェーションクロマトグラフ（以下ＧＰＣという）装置を使って測定することが一般に行われている（例えば、特許文献１及び非特許文献２参照）。最近では、このＧＰＣ装置に検出器としてフーリェ変換赤外分光計（ＦＴＩＲ）を接続した、ＧＰＣ−ＦＴＩＲ装置がさかんに利用されるに至っていて、ＧＰＣカラムを用いて分子量の違いにより成分を連続的に分離し、ＦＴＩＲを用いて分離された成分毎に赤外光を照射して、その吸収波形から分子構造を決定するようにしている。
【特許文献１】特開平４−５４４５２公報（発明の詳細な説明の欄参照）
【非特許文献２】第６回高分子分析討論会資料（平成１３年１１月５・６日開催、日本分析化学会  高分子分析研究懇談会編）
【０００３】
図５は、ＧＰＣ−ＦＴＩＲ装置の従来例にかかり、その構成を説明する概略図である。
ＧＰＣ−ＦＴＩＲ装置は、ＧＰＣカラム１０５を所定温度に保持するカラムオーブン１００と、サンプルを収容したサンプル容器１２０ａが一つだけセットされ、前記サンプルを所定温度に保持するサンプルオーブン１２０と、サンプルを搬送する移動相溶媒としてのキャリアーを収容するキャリアー容器１０９と、このキャリアー容器１０９からキャリアーを送り出すポンプ１０７と、サンプル容器１２０ａから所定量のサンプルを採取するためのシリンジ１０１とから概略構成されている。
【０００４】
カラムオーブン１００には、シリンジ１０１によってサンプル容器１２０ａから採取された一定量のサンプルを保持する複数のサンプルループ１０６，１０６，・・・と、サンプルの分離を行うＧＰＣカラム１０５とが設けられている。また、カラムオーブン１００には、二つの弁、すなわち、６ポート弁１０３と３ポート弁１０２とが設けられていて、サンプル及びキャリアーの流れを切り換えることができるようになっている。
【０００５】
３ポート弁１０２の三つのポートのうちの一つは、サンプル容器１２０ａの管路(i)に接続され、別の一つは、キャリアー容器１０９の管路(ii)に接続されている。これら二つのポートの間に位置する別のポートには管路
(iii)が接続されている。
６ポート弁１０３には、この管路(iii)の他、シリンジ１０１の管路(iv)、サンプルループ１０６の両端の管路(v)及び管路(vi)、ＧＰＣカラム１０５の管路(viii)及びキャリアー容器１０９の管路(vii)にそれぞれ接続されている。
管路(v)及び管路(vi)の一端には、所定のサンプルループ１０６を選択するための切換弁１０４ａ，１０４ｂが取り付けられている。
【０００６】
上記構成のカラムオーブン１００では、以下の手順で所定量のサンプルがシリンジ１０１によってサンプル容器１２０ａから採取され、所定のサンプルループ１０６に送られ、さらにこのサンプルループ１０６からＧＰＣカラム１０５に供給される。 
まず、一個のサンプル容器１２０ａをサンプルオーブン１２０の内部にセットし、このサンプル容器１２０ａの管路(i)を３ポート弁１０２の一のポートに接続し、管路(ｉ)と管路(iii)とが連通するように３ポート弁１０２を切り換える。
【０００７】
また、所定量のサンプルをサンプル容器１２０ａから採取するためのシリンジ１０１を管路(vi)に接続し、管路(iii)と管路(iv)とが連通するように６ポート弁１０３を切り換える。この状態でシリンジ１０１を操作して、所定量のサンプルをサンプル容器１２０ａから採取する。
この操作が終了すれば、管路(iv)と管路(v)とが連通状になるように６ポート弁１０３を切り換え、切換弁１０４ａを操作して所定のサンプルループ１０６を選択する。そして、シリンジ１０１を操作して、所定のサンプルループ１０６に所定量のサンプルを送る。
これで、一つのサンプルループ１０６へのサンプルの供給が終了する。
【０００８】
別のサンプルループ１０６に異なる種類のサンプルを供給するには、切り換えに先立ち、サンプルループ１０６に所定量のサンプルを供給する際にサンプルが流れる各管路（管路（iii）,(iv),(v)）をキャリアーで洗浄する。そのために、管路(i)と管路(iii)とが連通状になるように３ポート弁１０２を切り換え、また、管路(iii)と管路(vi)及び管路(v)と管路(iv)とが連通状になるように６ポート弁１０３を切り換える。
次に、容器１２０ａを廃液容器に入れ換える。この状態で、シリンジ１０１にキャリアー溶媒を満たし、押出し操作することで、シリンジ１０１内のキャリアーが管路(iv)，(v)，(vi)，(iii)，(i)に送られ、これら管路及びサンプルループ１０６の洗浄が行われる。
また、ポンプ１０７を駆動させることで、キャリアー容器１０９のキャリアーが管路(vii)，(viii)及びＧＰＣカラム１０５を流れ、これらの洗浄が行われる。
洗浄終了後、前記廃液容器を次のサンプル容器１２０ａと入れ換える。
【０００９】
上記の手順により洗浄が終了すれば、次にサンプルループ１０６に供給するべきサンプル容器１２０ａに取り換え、先に説明した手順と同様の手順で、所定のサンプルループ１０６に所定量のサンプルを送る。そして、この手順を繰り返すことで、八つのサンプルループ１０６のそれぞれに異なる種類のサンプルを供給することができる。
【００１０】
所定のサンプルループ１０６に保持されたサンプルをＧＰＣカラム１０５に供給するには、管路(vii)と管路(vi)、管路(v)と管路(viii)が連通状になるように
６ポート弁１０３を切り換え、切換弁１０４ｂ，１０４ａを操作して所定のサンプルループ１０６を選択する。そして、ポンプ１０７を駆動させて、キャリアー容器１０９からキャリアーを送り出す。
これにより、キャリアーが所定のサンプルループ１０６に送られ、当該サンプルループ１０６のサンプルをＧＰＣカラム１０５に供給する。
【００１１】
八つのサンプルループ１０６に保持されたサンプルについて順次分析を行うには、サンプルの切り換えに先立ち、管路(vi),(v),(viii)及びＧＰＣカラム１０５の洗浄を行う必要がある。そこで、ＧＰＣカラム１０５に送るサンプルの切り換えを行う際には、再度ポンプ１０７を駆動させてＧＰＣカラム１０５の容量の数倍のキャリアーを管路(vi),(v),(viii)からＧＰＣカラム１０５に送り、これらの洗浄を行う。この後、切換弁１０４ａ，１０４ｂを操作して、次のサンプルループ１０６を選択し、ポンプ１０７を駆動させて、当該サンプルループ１０６のサンプルをＧＰＣカラム１０５に送る。
上記の操作を繰り返すことで、八つのサンプルループ１０６に保持された八つのサンプルを順次ＧＰＣカラム１０５に送って、成分分離と分析を行うことができる。
【考案の開示】
【考案が解決しようとする課題】
【００１２】
しかしながら、上記構成のカラムオーブン１００においては、サンプル容器１２０ａの取り換え、シリンジ１０１によるサンプルの採取、管路(ｉ)〜(viii)及びＧＰＣカラム１０５の洗浄、別のサンプル容器１２０ａへの交換、という操作を、サンプルの数だけ繰り返さなければならず、作業が繁雑でサンプル採取，分析のために多大な時間を要するという問題がある。また、これら作業は手作業に頼っているが、キャリアーの種類によっては刺激臭が強く、劣悪な環境下で作業をしなければならず、作業者の作業負担も大きいという問題もある。また、マニュアル操作でサンプルの切り換え等を行っているため、例えばサンプル切り換え時の洗浄を忘れたり、洗浄が不十分であったりして、人為的なミスによる誤差や測定ミスが生じる危険性があった。
【００１３】
また、上記した操作を自動で行わせるようにした場合、市販のパーソナルコンピュータ（ＰＣ）を用いるとコスト的に有利であるが、ＰＣメーカーやアプリケーションソフトメーカーによるＯＳやアプリケーションソフトの仕様変更にともない、その都度アプリケーションソフトやＯＳのバージョンアップに対応しなければならず、面倒であるという問題がある。さらに、長年使用してきたアプリケーションソフトやＯＳがメーカーの都合により廃止されると、代替のＰＣやアプリケーションソフト及びＯＳの導入を検討しなければならず、かつ、代替のＰＣやアプリケーションソフト，ＯＳが期待どおり動作するかどうかの保証を得るまで長期間を要するという不都合がある。また、アプリケーションソフトメーカーやＯＳは利用者において自由に仕様を変更することが難しいという問題もある。
【００１４】
本考案は、上記の問題点に鑑みてなされたもので、複数のサンプルの分析を連続して行う場合に、サンプルループ等のインジェクターへのサンプルの供給を効率よく短時間で行うことができ、かつ、自動化も可能なゲルパーミエーションクロマトグラフ（ＧＰＣ）装置を得ること、及び、特定のＯＳや専用のアプリケーションソフトを組み込んだ特定のＰＣを利用することなく、利用者側において自由にプログラムの組み替えが可能な制御部を備えたＧＰＣ装置を得ることを目的とする。
【課題を解決するための手段】
【００１５】
前者の課題を解決するために、請求項１に記載の考案は、サンプル容器から所定量のサンプルをインジェクターに採取し、このインジェクターからカラムオーブン内のＧＰＣカラムにサンプルを供給する高分子物質の分析装置において、同種又は異種のサンプルを収容したサンプル容器を複数セットできるサンプル容器セット部と、少なくとも一つの前記インジェクターと、前記複数のサンプル容器の中から、所定のサンプル容器を選択して所定量のサンプルの採取を可能にするサンプル選択部と、このサンプル選択部によって選択された前記サンプル容器から所定量のサンプルを計量して採取する計量部と、この計量部によって採取された前記サンプルを前記インジェクターに供給する管路、前記インジェクターから前記ＧＰＣカラムに前記サンプルを供給する管路及び洗浄を行う管路のいずれかに切り換える切換弁とを備えるオートサンプラーと、前記サンプル選択部、前記計量部及び前記切換弁を含む前記オートサンプラーの動作部の動作の制御を行う制御部とを有する構成としてある。
【００１６】
この構成によれば、サンプルオーブン等のサンプル容器保持部には、同種又は異種のサンプルが収容された複数のサンプル容器がセットされる。サンプル容器の選択は、制御部がサンプル選択部を切り換えることで行う。一つのサンプルの分析が終了すれば、次に分析を行うサンプルを制御部が判断してサンプル選択部の切り換えを行うので、サンプル容器をセットし直す必要がない。
また、サンプル容器からインジェクターに送るサンプルの計量は、計量部が自動的に行うため、シリンジにより計量を行う必要がなくなる。
さらに、サンプルの切り換えに先立って行う洗浄作業も、制御部からの指令に基づき切換弁を切り換え、ポンプを駆動してキャリアー等の洗浄溶媒を流通させればよいので、切換作業を簡単かつ短時間で終了させることができる。
【００１７】
後者の課題を解決するために、請求項２に記載の考案は、前記制御部がシーケンス制御によって前記オートサンプラーの各動作部の動作制御を行う構成としてある。
上記構成のＧＰＣ装置による複数のサンプルの連続分析は、サンプル選択部によるサンプルの選択、計量部によるサンプルの計量、ＧＰＣカラムへのサンプルの供給、サンプルが流通した管路の洗浄、サンプル選択部による次のサンプルの選択という一連の操作によって行われる。従って、このような一連の操作の制御は、シーケンス制御によって行うことができる。そのため、特定のＯＳや専用のアプリケーションソフトを組み込んだ特定のＰＣを用いることなく、利用者側において自由にプログラムの組み替えが可能な制御部を得ることができる。
なお、ＧＰＣカラムオーブンの温度制御や、サンプルをＧＰＣカラムに供給する際の流量及び圧力等の制御は、上記のシーケンス制御とは別に例えばフィードバック制御等の他の制御により行うとよい。
【００１８】
前記インジェクターは、複数のサンプル容器に対して共通（単一）のインジェクターを設けるものとしてもよいが、請求項３に記載するように前記複数のサンプル容器の各々に対応させて複数設けるものとしてもよい。
このようにすることで、インジェクターのそれぞれに、各サンプル容器から所定量のサンプルを送って保持させた後に、複数のインジェクターから順次サンプルをＧＰＣカラムに送って分離・分析を行うことが可能になり、多数のサンプルについて分析を行う場合に、分析時間を大幅に短縮することが可能になる。また、同種のサンプルについては特定のインジェクターを使用することで、異種サンプルの混合を抑制することができる。
【００１９】
本考案の分析装置は、請求項４に記載するように、前記ＧＰＣカラムによって分離された成分を、フーリェ変換赤外分光計、液体クロマトグラフィー検査器、赤外分析器、示差屈折計（ＲＩ）又は質量分析器等の他の分析装置に送って分析を行うようにすることが可能である。
なお、サンプルをＧＰＣカラムに送るインジェクターとしては、種々の形態のものを用いることができ、例えば、請求項５に記載するように、ループ形のものを用いることも可能である。
【考案の効果】
【００２０】
本考案によれば、複数のサンプル容器からサンプルループへのサンプルの供給、サンプルループからＧＰＣカラムへのサンプルの供給、サンプルが流通する管路の洗浄、異なる種類のサンプルへの切り換えが、サンプル選択部及び切換弁の切り換え動作だけで可能になり、複数種類のサンプルの分析時間を大幅に短縮することが可能になるほか、作業者の作業負担を軽減させることができる。
【００２１】
また、サンプルオーブンに複数のサンプル容器をセットするだけで、サンプルの定量採取、サンプルループへの供給、ＧＰＣカラムへの供給、洗浄、次回分析で使用するサンプルの選択を全て自動で行うことが可能になる。
さらに、オートサンプラーの各動作部の動作を制御する制御部としてシーケンス制御を採用することで、特定のＰＣを利用する必要がなくなり、利用者において自由にプログラムの組み替えが可能になる。
【考案を実施するための最良の形態】
【００２２】
以下、本考案の好適な実施形態を、図面を参照しながら詳細に説明する。
図１は、本考案の一実施形態にかかり、ＧＰＣ装置の構成を説明するブロック図である。
図１に示すように、この実施形態のＧＰＣ装置は、ＧＰＣカラム１５によって分離された成分を、フーリェ変換赤外分光計（ＦＴＩＲ）に送って分光分析を行うＧＰＣ−ＦＴＩＲ装置を構成するものである。
【００２３】
ＧＰＣ装置は、ＧＰＣカラム１５の温度を所定温度に保持するカラムオーブン１０と、複数（図示の例では八つ）のサンプル容器１２ａを一度にセット可能で、サンプル容器１２ａに収容されたサンプルを所定温度に保持するサンプルオーブン１２と、カラムオーブン１０に設けられ、所定のサンプル容器１２ａから所定量のサンプルを計量して取り出すオートサンプラー１１と、オートサンプラー１１によって取り出された所定量のサンプルを、キャリアーによってＧＰＣカラム１５に搬送するためのポンプ１７と、このポンプ１７に接続された前記キャリアーを収容するキャリアー容器１９と、オートサンプラー１１に含まれる各動作部の動作制御の他、ポンプ１７の駆動制御、カラムオーブン１０，オートサンプラー１１及びサンプルオーブン１２の温度制御等を行う制御部３０とを有している。
【００２４】
オートサンプラー１１としては、例えば特開平８−２２００７０号公報や、特開２００４−２７１２４１号公報等により公知で、市販のものを用いることができる。なお、オートサンプラー１１は、図示するようにカラムオーブン１０の内部に設けてもよいし、カラムオーブン１０とは別体に設けてもよい。
図２及び図３は、この実施形態で用いたオートサンプラーの構成を説明する図で、図２は、サンプルを収容するサンプルループ１６に、サンプル容器１２ａのサンプルを計量して供給する所謂ロード(LOAD)の状態を、図３は、キャリアーによってサンプルループ１６からＧＰＣカラム１５にサンプルを送る所謂インジェクト（INJECT）の状態を示している。
【００２５】
図示するように、オートサンプラー１１は、サンプル容器１２ａの各々と管路によって接続され、所定のサンプル容器のサンプルをサンプルループ１６に送るように前記所定のサンプル容器１２ａの選択を行うサンプル選択弁１１ｂと、前記したロード状態とインジェクト状態との間で切り換えを行う６ポート弁１１ａと、この６ポート弁１１ａに接続されたサンプルループ１６と、サンプル容器１２ａからサンプルを計量して取り出すための計量ポンプ１４とを有している。
【００２６】
サンプル選択弁１１ｂは、サンプル容器１２ａの各々及びドレンに接続された九つの管路を切り換えるチャンネルを内蔵していて、制御部３０（図１参照）からの指令信号により、前記チャンネルを所定のサンプル容器１２ａに接続された管路又はドレン用の管路に切り換える。
図２に示すように、この実施形態では、サンプル選択弁１１ｂと６ポート弁１１ａとを連通状に接続する管路は、６ポート弁１１ａに含まれる六つのポートのうちの一つ（以下、このポートを「６番」ポートとし、時計回りに「１番」「２番」・・・「５番」ポートとする）に接続されている。
【００２７】
サンプルループ１６は、例えば７５０μｌのサンプルを保持することができるもので、八種類のサンプルに対して単一のサンプルループ１６を共用するようにしてもよいし、図５の従来例のように、サンプルループ１６の切換弁（図５の符号１０４ａ，１０４ｂ）を設けて、八種類のそれぞれに対応した八つのループ１６を設けてもよい。この実施形態では、サンプルループ１６の両端の管路は、６ポート弁１１ａの１番ポートと４番ポートに接続されている。
【００２８】
計量ポンプ１４は、カラムオーブン１０の外部に設けられ、切換弁１４ａを介して６ポート弁１１ａの５番ポートに接続される。切換弁１４ａと５番ポートとを接続する管路の途中には、例えば２ｍｌ程度の容積を有するバッファ１４ｂを設けてもよい。切換弁１４ａには、キャリアーを収容するキャリアー容器１３が接続されていて、前記管路を介して６ポート弁１１ａの５番ポートに接続されている。
【００２９】
サンプル搬送用のキャリアーをサンプルループ１６に送るポンプ１７の管路は、６ポート弁１１ａの２番ポートに接続され、ＧＰＣカラム１５は３番ポートに接続されている。
次に、上記構成のオートサンプラー１１の作用を、制御部３０による制御の手順とともに、図４のフローチャートを参照しながら説明する。
制御部３０は、図４に示すような一連の手順を、シーケンス制御によって順次実行させる。
上記構成のオートサンプラー１１においてサンプルの分析を行う際には、制御部３０の指令により、サンプル選択弁１１ｂが今回分析を行うサンプルを収容したサンプル容器１２ａを選択する（ステップＳ１）。また、制御部３０の指令により、６ポート弁１１ａがロード（LOAD）状態に切り換えられる（ステップＳ２）。さらに、切換弁１４ａが、計量ポンプ１４と５番ポートとを連通状にするように切り換えられる（ステップＳ３）。
【００３０】
この状態で、制御部３０の指令により計量ポンプ１４が駆動させられ、所定量のサンプルがサンプル容器１２ａから取り出される。取り出されたサンプルは、サンプル選択弁１１ｂを経て、６ポート弁１１ａの６番ポートから１番ポートに流れ、サンプルループ１６に送られる（ステップＳ４）。
この後、制御部３０の指令により、６ポート弁１１ａが図３に示すインジェクト（INJECT）状態に切り換えられる（ステップＳ５）。そして、ポンプ１７を駆動させることで、キャリアー容器１９のキャリアーが２番ポートから１番ポートを経てサンプルループ１６に送られ、サンプルループ１６に保持されたサンプルが、キャリアーとともに４番ポート及び３番ポートを経てＧＰＣカラム１５に送られる（ステップＳ５）。
以上で、一つの種類のサンプルの分析操作が終了する。
【００３１】
なお、カラムオーブン１０の温度制御、サンプルオーブン１２の温度制御、ＧＰＣカラム１５に供給されるサンプルの流量や圧力は、例えば、温度センサや流量計、圧力センサ等の検出結果に基づいてスイッチをＯＮ／ＯＦＦさせるようにすることで、シーケンス制御でも制御が可能であるが、部分的にフィードバック制御等の他の制御を利用することで、これらの管理をより正確に行うことが可能になる。
【００３２】
次のサンプルの分析操作を行うための洗浄作業は、以下の手順で行う。
制御部３０の指令により、サンプル選択弁１１ｂのチャンネルがドレンの管路を選択するように切り換えられる（ステップＳ７）。また、図３のインジェクト（INJECT）状態で、ポンプ１７が駆動される（ステップＳ８）。さらに、切換弁１４ａが切り換えられ、計量ポンプ１４によってキャリアー容器１３のキャリアーが６ポート弁１１ａに送られるようにしておく（ステップＳ９）。この状態で、計量ポンプ１４を駆動させる（ステップＳ１０）。
【００３３】
これにより、キャリアー容器１９のキャリアーが、６ポート弁１１ａの２番ポート及び１番ポートからサンプルループ１６に流れ、さらに４番ポート及び３番ポートからＧＰＣカラム１５に送られて、この経路上にある管路、サンプループ１６，ＧＰＣカラム１５の洗浄を行う。一方、キャリアー容器１３のキャリアーは、５番ポート及び６番ポートからサンプル選択弁１１ｂに送られ、ドレン用の管路から排出される。そして、この過程に存在する管路の洗浄を行う。
以上で洗浄が終了すれば、サンプル選択弁１１ｂにより次に分析を行うサンプルのサンプル容器１２ａを選択し（ステップＳ１）、６ポート弁１１ａを図２のロード状態に切り換えて（ステップＳ２）、サンプルループ１６に次に分析を行うサンプルを供給する。
上記手順を繰り返すことにより、八つの種類のサンプルの分析操作を順次行うことができる。
【００３４】
上記の実施形態では、八種類のサンプルのセット時間が、従来の約６０分から１０分程度に短縮され、作業者の人為的ミスによる誤差や測定ミスをほとんど無くすことができた。また、上記操作は全てシーケンス制御により自動的に行われるため、悪臭等の悪環境下における作業者の作業時間が大幅に削減され、作業者の作業負担が軽減された。
【００３５】
本考案の好適な実施形態について説明したが、本考案は上記の実施形態により何ら限定されるものではない。
例えば、上記の説明では、単一のサンプルループ１６を用い、洗浄とサンプル選択弁１１ｂ及び６ポート弁１１ａの切り換えによって八つのサンプルを順次ＧＰＣカラム１５に送るものとして説明したが、図５の従来例と同様に予め八つのサンプルループ１６をオートサンプラー１１の内部に設けておき、この八つのサンプルループ１６から順次ＧＰＣカラム１５に送るように構成してもよい。
また、上記の実施形態では、キャリアー容器として符号１３及び符号１９で示す二つの容器を図示及び説明しているが、これらは共通のものであってもよい。
【産業上の利用可能性】
【００３６】
本考案のＧＰＣ装置は、フーリェ変換赤外分光計（ＦＴＩＲ）に限らず、液体クロマトグラフィーや赤外分析装置、示差屈折計（ＲＩ）又は質量分析装置等の他の分析装置に接続することも可能である。
【図面の簡単な説明】
【００３７】
【図１】本考案の一実施形態にかかり、ＧＰＣ装置の構成を説明するブロック図である。
【図２】この実施形態で用いたオートサンプラーの構成を説明する図で、サンプルを収容するサンプルループに、サンプル容器のサンプルを計量して供給するロードの状態を示している。
【図３】この実施形態で用いたオートサンプラーの構成を説明する図で、キャリアーによってサンプルループからＧＰＣカラムにサンプルを送るインジェクトの状態を示している。
【図４】この実施形態の制御部による制御手順を説明するフローチャートである。
【図５】ＧＰＣ−ＦＴＩＲ装置の従来例にかかり、その構成を説明する概略図である。
【符号の説明】
【００３８】
１０：カラムオーブン
１１：オートサンプラー
１１ａ：６ポート弁（切換弁）
１１ｂ：サンプル選択弁（サンプル選択部）
１２：サンプルオーブン（サンプル容器セット部）
１２ａ：サンプル容器
１３：キャリアー容器
１４：計量ポンプ（計量部）
１５：カラム
１６：サンプルループ（インジェクター）
１７：ポンプ
１９：キャリアー容器
３０：制御部
【図１】
0003109378.tif 000003
【図２】
0003109378.tif 000004
【図３】
0003109378.tif 000005
【図４】
0003109378.tif 000006
【図５】
0003109378.tif 000007